(57)【要約】      （修正有）【課題】標示プレートを自由に交換する発光効果を有する標示プレート組を提供する。【解決手段】ベース１０と標示プレート２０を有する発光効果を有する標示プレート組であって、該ベースの一側に挿入溝１１が形成され、該挿入溝の内に導電部と押圧スイッチが設けられ、前記標示プレートに複数の発光部材２１が設けられ、その一端に発光部材２１と電気接続すると共に、前記導電部と接触する導電端子が設けられる。【選択図】図１
0003106684.tif 000002
【実用新案登録請求の範囲】
【請求項１】
ベースと標示プレートを有する発光効果を有する標示プレート組であって、
該ベースの一側に挿入溝が形成され、該挿入溝の内に導電部と押圧スイッチが設けられ、
前記標示プレートに複数の発光部材が設けられ、その一端に発光部材と電気接続すると共に、前記導電部と接触する導電端子が設けられることを特徴とする発光効果を有する標示プレート組。
【請求項２】
前記ベースの導電部はベースの内壁に設けられる金属プレートであり、前記挿入溝に標示プレートの挿入方向を正しくするための位置決めブロックが設けられ、導電端子を有する標示プレートの一端に挿入溝の位置決めブロックに対する位置決め切欠が形成されることを特徴とする請求項１に記載の発光効果を有する標示プレート組。
【請求項３】
前記ベースの導電部は標示プレートを挟持すると共に、標示プレートの導電端子と接触する金属挟みであり、前記挿入溝に標示プレートの挿入方向を正しくするための位置決めブロックが設けられ、導電端子を有する標示プレートの一端に挿入溝の位置決めブロックに対する位置決め切欠が形成されることを特徴とする請求項１に記載の発光効果を有する標示プレート組。
【考案の詳細な説明】
【技術分野】
【０００１】
本考案は、特に標示プレートを自由に交換できる発光効果を有する標示プレート組に関するものである。
【背景技術】
【０００２】
従来の標示プレートは、例えばトイレや緊急脱出口が標示される標示プレートが発光効果を有しないため、暗い場所で見にくく、使用者は標示プレートの所在位置又は表示プレートの表示文字、図案を判断することができない。
【考案の開示】
【考案が解決しようとする課題】
【０００３】
又、前記従来の標示プレートは標示場所で固定されるので、時間と場所の変わりによって、自由に別の標示プレートを交換することができなく、更に、交換作業を行う際、ドライバーなどの工具を使用しなければならないので、非常に不便である。
そこで、案出されたのが本考案であって、標示プレートを自由に交換できる発光効果を有する標示プレート組を提供することを目的としている。
【課題を解決するための手段】
【０００４】
本願の請求項１の考案は、ベースと標示プレートを有する発光効果を有する標示プレート組であって、
該ベースの一側に挿入溝が形成され、該挿入溝の内に導電部と押圧スイッチが設けられ、
前記標示プレートに複数の発光部材が設けられ、その一端に発光部材と電気接続すると共に、前記導電部と接触する導電端子が設けられることを特徴とする発光効果を有する標示プレート組及び、
本願の請求項２の考案は、前記ベースの導電部はベースの内壁に設けられる金属プレートであり、前記挿入溝に標示プレートの挿入方向を正しくするための位置決めブロックが設けられ、導電端子を有する標示プレートの一端に挿入溝の位置決めブロックに対する位置決め切欠が形成されることを特徴とする請求項１に記載の発光効果を有する標示プレート組及び、
本願の請求項３の考案は、前記ベースの導電部は標示プレートを挟持すると共に、標示プレートの導電端子と接触する金属挟みであり、前記挿入溝に標示プレートの挿入方向を正しくするための位置決めブロックが設けられ、導電端子を有する標示プレートの一端に挿入溝の位置決めブロックに対する位置決め切欠が形成されることを特徴とする請求項１に記載の発光効果を有する標示プレート組、を提供する。
【考案の効果】
【０００５】
本考案は上記の課題を解決するものであり、内部に押圧スイッチと導電部を有するベースと、ベースに挿入すると共に、導電部と接触する導電端子及び発光部材を有する標示プレートにより、標示プレートにおける文字又は図案を発光するだけではなく、簡単に標示プレートを交換することも達成できる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
図１は本考案に係る発光効果を有する標示プレート組の斜視図であり、図２は本考案に係る発光効果を有する標示プレート組の分解斜視図であり、図３は本考案に係る発光効果を有する標示プレート組のベースを示す断面図であり、図４は本考案に係る発光効果を有する標示プレート組の使用状態を示す一部断面図であり、図５は本考案に係る発光効果を有する標示プレート組の他の実施例を示す立体透視図である。
図１乃至図３に示すように、本考案に係る発光効果を有する標示プレート組は、ベース（１０）と標示プレート（２０）を有し、該ベース（１０）の一側に挿入溝（１１）が形成され、該挿入溝（１１）の内に導電部（１２）と押圧スイッチ（１３）が設けられ、該導電部（１２）はベース（１０）の内壁に設けられる金属プレートであり、該押圧スイッチ（１３）は押圧動作によって導電部（１２）の通電状態を制御するスイッチである。又、前記挿入溝（１１）に標示プレート（２０）の挿入方向を正しくするための位置決めブロック（１４）が設けられる。
前記標示プレート（２０）に複数の発光部材（２１）が設けられ、その一端に発光部材（２１）と電気接続すると共に、前記導電部（１２）と接触する導電端子（２２）が設けられ、同端に挿入溝（１１）における位置決めブロック（１４）に対する位置決め切欠（２３）が形成される。
又、前記標示プレート（２０）における発光部材（２１）はＥＬプレート（Electro Luminescence, EL）、又は、発光ダイオードのような低発熱の発光体である。
又、図２乃至図４に示すように、本考案に係る発光効果を有する標示プレート組を使用する場合、導電端子（２２）を有する標示プレート（２０）の一端を、ベース（１０）の挿入溝（１１）に挿入すると共に、押圧スイッチ（１３）を押圧させ、導電端子（２２）が挿入溝（１１）における導電部（１２）と接触することにより、標示プレート（２０）における発光部材（２１）が発光する。
使用者は別の標示プレート（２０）を交換しようとする場合、該標示プレート（２０）をベース（１０）の挿入溝（１１）から取り出すだけでよい。押圧スイッチ（１３）は標示プレート（２０）の押圧を失ったので、導電部（１２）の電源を切断して、節電効果を達成できる。又、導電部（１２）の電源を切断するから、電気の使用安全を確実に守ることができる。
本考案に係る発光効果を有する標示プレート組の使用電源は交流、直流又は交直流であり、何らの電源でも押圧スイッチ（１３）により、節電と電気の使用安全を達成することができる。
又、標示プレート（２０）の位置決め切欠（２３）と挿入溝（１１）の位置決めブロック（１４）の配合することにより、標示プレート（２０）の誤挿入することを防止できる。
図５に示すように、本考案に係る発光効果を有する標示プレート組の他の実施例は、前記実施例と殆ど等しく、異なるのはベース（１０）の導電部（１２）が標示プレート（２０）を挟持すると共に、標示プレート（２０）の導電端子（２２）と接触する金属挟みである。
又、本考案に係る発光効果を有する標示プレート組は一般の壁に固定するだけではなく、テーブルの上に発光する標示板として使用してもよい。
【産業上の利用可能性】
【０００７】
本考案は上記の構成を有するので、内部に押圧スイッチと導電部を有するベースと、ベースに挿入すると共に、導電部と接触する導電部材及び発光部材を有する標示プレートにより、標示プレートにおける文字又は図案を発光するだけではなく、簡単に標示プレートを交換することも達成できる。
【図面の簡単な説明】
【０００８】
【図１】本考案に係る発光効果を有する標示プレート組の斜視図である。
【図２】本考案に係る発光効果を有する標示プレート組の分解斜視図である。
【図３】本考案に係る発光効果を有する標示プレート組のベースを示す断面図である。
【図４】本考案に係る発光効果を有する標示プレート組の使用状態を示す一部断面図である。
【図５】本考案に係る発光効果を有する標示プレート組の他の実施例を示す立体透視図である。
【符号の説明】
【０００９】
１０  ベース
１１  挿入溝
１２  導電部
１３  押圧スイッチ
１４  位置決めブロック
２０  標示プレート
２１  発光部材
２２  導電端子
２３  位置決め切欠
【図１】
0003106684.tif 000003
【図２】
0003106684.tif 000004
【図３】
0003106684.tif 000005
【図４】
0003106684.tif 000006
【図５】
0003106684.tif 000007